(57)【特許請求の範囲】
【請求項１】
引き回動操作の対象であるトリガレバー，これが取り付けられた固定タイプのカラー部材、および前記引き回動操作で内容物放出状態の作動モードに駆動可能な放出ノズルからなり、
前記引き回動操作により前記内容物放出状態へ移行できる静止モードと、前記トリガレバーを、前記内容物放出状態へ移行することなく引き回動操作後の位置に保持するロックモードと、が選択的に設定されるトリガレバーロック機構であって、
前記トリガレバーは、
前記ロックモードで前記カラー部材に保持される被ロック作用部と、
前記静止モードの前記放出ノズルを前記内容物放出状態に駆動するノズル駆動部と、を備え、
前記カラー部材は、
前記被ロック作用部を前記ロックモードの位置に保持するロック作用部を備え、
前記放出ノズルは、
前記ノズル駆動部との協働作用により前記作動モードの位置へ駆動される被駆動部を備え、
前記ノズル駆動部は、
前記ロックモードを設定するための、前記トリガレバーと前記カラー部材との間のスライド操作にともない、前記被駆動部から外れて、前記内容物放出状態へ移行しない形の前記引き回動操作が可能な部分に設定される、駆動要素である、
ことを特徴とするトリガレバーロック機構。
【請求項２】
前記ロックモードは、
前記トリガレバーが前記カラー部材に近づく形で回動したトリガレバー「おじぎ」状態であり、全体スペースが前記静止モードよりもコンパクト化されている、
ことを特徴とする請求項１記載のトリガレバーロック機構。
【請求項３】
前記トリガレバーは、
前記スライド操作を可能にするための被ガイド作用部を備え、
前記カラー部材は、
前記スライド操作の際に前記被ガイド作用部と協働するガイド作用部を備え、
前記被ガイド作用部および前記ガイド作用部は、
それらの一方が、スライド操作方向に形成された凹状部であり、
それらの他方が、前記凹状部との案内作用を呈し、かつ前記引き回動操作の回動中心として作用する凸状部である、
ことを特徴とする請求項１または２記載のトリガレバーロック機構。
【請求項４】
前記トリガレバーは、
前記ノズル駆動部のスライド操作方向側に連続形成されて、前記被駆動部の案内保持作用を受ける被案内保持部を備えている、
ことを特徴とする請求項１乃至３のいずれかに記載のトリガレバーロック機構。
【請求項５】
請求項１乃至４のいずれかに記載のトリガレバーロック機構を備え、かつ、容器本体に内容物を収納した、
ことを特徴とするポンプ式製品。
【請求項６】
請求項１乃至４のいずれかに記載のトリガレバーロック機構を備え、かつ、容器本体に噴射用ガスおよび内容物を収納した、
ことを特徴とするエアゾール式製品。
【発明の詳細な説明】
【技術分野】
【０００１】
本発明は、エアゾール式製品やポンプ式製品の内容物放出操作に用いる引き回動タイプのトリガレバーを、そのスライド操作にともない、内容物放出操作可の静止モードと、内容物放出操作不可のロックモードとに設定するトリガレバーロック機構などに関する。
【０００２】
特にトリガレバーをその引き回動操作前のいわば上動位置にロックするのではなく、内容物放出状態をパスする形のトリガレバーの引き回動操作がおこなえるようにして、この引き回動操作後のトリガレバーをロックする形のトリガレバーロック機構に関する。
【０００３】
すなわち、利用者の後方へのトリガレバーの引き回動操作が内容物放出状態を経ることなしのルートでも実行され、トリガレバーはその回動操作の終了位置で保持されてこれがロックモードとなる。
【０００４】
トリガレバーの引き回動操作により内容物放出状態（作動モード）へ移行するか、これをパスするかは、トリガレバーとそれが取り付けられたカラー部材との間の前後方向などへの相対的なスライド操作によってあらかじめ設定される。
【０００５】
本発明のロックモードでは、トリガレバーが、図１に示すようにその引き回動操作により図２の静止モードに比べてカラー部材に近づいた形の「おじぎ」状態に設定保持される。静止モードのトリガレバーは図２に示すように「仰ぎ」状態に設定保持される。
【０００６】
本明細書においてはトリガレバーの回動操作面の側を「前」、それと反対のトリガレバーの回動中心の側を「後」という。図１〜図３それぞれの左側が「前」で、右側が「後」となる。また、図１〜図３それぞれの紙面の垂直方向を「左右」という。
【０００７】
また、貫通状態の孔部および非貫通状態の凹み部の双方を含む意味あいで「凹状部」の語を用いる。
【背景技術】
【０００８】
本件出願人は、内容物放出操作に用いられる引き回動タイプのトリガレバーを、そのスライド操作にともない、内容物放出操作可の静止モードと、内容物放出操作不可のロックモードとに設定するトリガレバーロック機構を提案済みである（特許文献１参照）。
【０００９】
このトリガレバーロック機構は、内容物放出用の引き回動操作をもっぱらの用途とするトリガレバーにそれ自体のスライド操作機能を併せ持たせる、といった着想に基づくものである。
【００１０】
すなわち、トリガレバー自体のスライド操作機能により、トリガレバーの引き回動操作阻止およびその解除のための操作自体の簡単化を図るとともに、トリガレバーロック機構全体の外観のシンプルなデザイン化を図れるといった利便性を備えたものである。
【先行技術文献】
【特許文献】
【００１１】
【特許文献１】特願２０１４−１５２６７８号
【発明の概要】
【発明が解決しようとする課題】
【００１２】
本発明は、引き回動操作対象のトリガレバー自体の付加的なスライド操作についてのさらなる新着想、すなわち静止モードのトリガレバーを前後方向などにスライドさせてから引き回動操作し、これによりロックモードを設定するといった着想のものである。
【００１３】
このスライド操作により、トリガレバーは、続いて引き回動操作された場合にも内容物放出機構を駆動しえない位置に移動する。
【００１４】
そして、この引き回動操作の終了段階のトリガレバーをその位置で保持した形のロックモードが設定される。
【００１５】
このロックモードのトリガレバーは、上述したように引き回動操作によりカラー部材へ近づいた「おじぎ」状態になっている。
【００１６】
本発明のトリガレバーロック機構は、この「おじぎ」状態のロックモード設定にともない、
(11)トリガレバーおよびカラー部材などからなるトリガレバーロック機構全体の前後・上下方向断面のいわば外接方形スペースが、図１のロックモード（Ｗ×Ｌ）において図２の静止モード（Ｗ′×Ｌ′）よりも小さく、
(12)ロックモードと静止モードとでのトリガレバーおよびカラー部材などの関連した外観構成や印象の違いが、トリガレバーロック機構の製造作業者，利用者などに一見して明らかな形になっている。
【００１７】
本発明は、このようなロックモードにおけるトリガレバーの「おじぎ」設定にともなう構成上の特徴により、
(21)トリガレバーロック機構
全体のロックモードの外観デザインについてのシンプル化，端正化を図り、
(22)ロックモードのトリガレバーロック機構全体の収容スペースの効率化を図り、
(23)利用者などにとっての、トリガレバーロック機構のロックモード視認の簡単化，確実化を図る、
ことなどを目的とする。
【課題を解決するための手段】
【００１８】
本発明は、以上の課題を次のトリガレバーロック機構を用いることにより解決する。
（１）引き回動操作の対象であるトリガレバー（例えば後述のトリガレバー２），これを取り付けた固定タイプのカラー部材（例えば後述のカラー部材１）、および前記引き回動操作で内容物放出状態の作動モード（図３）に駆動可能な放出ノズル（例えば後述のＬ字状ノズル３）からなり、
前記引き回動操作により前記内容物放出状態へ移行できる静止モード（図２）と、前記トリガレバーを、前記内容物放出状態へ移行することなく引き回動操作後の位置に保持するロックモード（図１）と、が選択的に設定されるトリガレバーロック機構であって、
前記トリガレバーは、
前記ロックモードで前記カラー部材に保持される被ロック作用部（例えば後述の内向き凸状部２ｅ）と、
前記静止モードの前記放出ノズルを前記内容物放出状態に駆動するノズル駆動部（例えば後述のノズル駆動面２ｍ）と、を備え、
前記カラー部材は、
前記被ロック作用部を前記ロックモードの位置に保持するロック作用部（例えば後述の対向平板部１ｄ）を備え、
前記放出ノズルは、
前記ノズル駆動部との協働作用により前記作動モードの位置へ駆動される被駆動部（例えば後述の前円柱状凸部３ｂ）を備え、
前記ノズル駆動部は、
前記ロックモードを設定するための、前記トリガレバーと前記カラー部材との間のスライド操作にともない、前記被駆動部から外れて、前記内容物放出状態へ移行しない形の前記引き回動操作が可能な部分に設定される、駆動要素である、
構成態様のものを用いる。
（２）上記（１）において、
前記ロックモードは、
前記トリガレバーが前記カラー部材に近づく形で回動したトリガレバー「おじぎ」状態であり、全体スペースが前記静止モードよりもコンパクト化された、
構成態様のものを用いる。
（３）上記（１），（２）において、
前記トリガレバー２は、
前記スライド操作を可能にするための被ガイド作用部（例えば後述の円状前孔部２ｇ，円状後孔部２ｈ，直線状孔部２ｊ）を備え、
前記カラー部材は、
前記スライド操作の際に前記被ガイド作用部と協働するガイド作用部(例えば後述の後円柱状凸部１ｅ)を備え、
前記被ガイド作用部および前記ガイド作用部は、
それらの一方が、スライド操作方向に形成された凹状部であり、
それらの他方が、前記凹状部との案内作用を呈し、かつ前記引き回動操作の回動中心として作用する凸状部である、
構成態様のものを用いる。
（４）上記（１），（２），（３）において、
前記トリガレバーは、
前記ノズル駆動部のスライド操作方向側に連続形成されて、前記被駆動部の案内保持作用を受ける被案内保持部（例えば後述の被案内保持面２ｎ）を備えた、
構成態様のものを用いる。
【００１９】
本発明は、このような構成からなるトリガレバーロック機構、ならびに当該トリガレバーロック機構を備えて、後述のガス，内容物などを容器本体に収容したエアゾール式製品および後述の内容物などを容器本体に収容したポンプ式製品を対象としている。
【発明の効果】
【００２０】
本発明は以上の課題解決手段により、
(31)トリガレバーロック機構全体のロックモードの外観デザインについてのシンプル化，端正化を図り、
(32)ロックモードのトリガレバーロック機構全体の収容スペースの効率化を図り、
(33)利用者などにとっての、トリガレバーロック機構のロックモード視認の簡単化，確実化を図る、
ことなどができる。
【図面の簡単な説明】
【００２１】
【図１】トリガレバーロック機構のロックモード、すなわち内容物放出側のＬ字状ノズルは静止モードの位置に設定され、かつ、前スライド・おじぎ状態のトリガレバーの引き回動操作が阻止されるモードを示す説明図である。
【図２】トリガレバーロック機構のロック解除・静止モード、すなわち図１のトリガレバーがそれへの時計方向回動・後スライド操作により初期位置へ復帰したモードを示す説明図である。
【図３】トリガレバーロック機構の作動モード、すなわち利用者が図２のトリガレバーを後方に引き回動操作した内容物放出状態のモードを示す説明図である。
【発明を実施するための最良の形態】
【００２２】
図１〜図３を用いて本発明を実施するための最良の形態を説明する。
【００２３】
上述したように本発明のトリガレバーロック機構はエアゾール式製品およびポンプ式製品のそれぞれに適用されえるが、図１〜図３に基づく以下の記載では単なる説明の便宜上、エアゾール式製品を前提としている。
【００２４】
以下のアルファベット付き参照番号の構成要素（例えばジョイント部１ａ）は原則として、その数字部分の構成要素（例えばカラー部材１）の一部であることを示している。
【００２５】
図１〜図３において、
１は後述の容器本体４の上側部分外周面に取り付けられて後述のトリガレバー２の回動中心基部などとして作用するカラー部材（ジョイント部１ａ＋ドーム状部１ｂ＋アーム状部１ｃ），
１ａはカラー部材１の下端側部分であって、容器本体４への取付け対象となるジョイント部，
１ｂはカラー部材１のいわば上下方向中間部分であって、ジョイント部１ａの上方に連続形成されたドーム状部，
１ｃはカラー部材１の対向する上側平行部分からなり、ドーム状部１ｂの上方に後傾斜態様で連続形成された一対のアーム状部，
１ｄはドーム状部１ｂの外周面前下端側部分に平行状態で形成されて、それぞれの外面に、ロックモードにおける後述の内向き凸状部２ｅが係合する一対の対向平板部，
１ｅはアーム状部１ｃそれぞれの上端外面に形成されて後述のスライド用孔部２ｆを案内し、かつ、トリガレバー引き回動操作の回動中心として作用する一対の後円柱状凸部，
をそれぞれ示している。
【００２６】
また、
２は内容物放出用の引き回動操作部材として作用するトリガレバー，
２ａはトリガレバー２の前下側部分を構成する引き金形状の引き回動操作部，
２ｂは引き回動操作部２ａに続く上側部分に形成されて、トリガレバー２の後方向へのスライド操作（ロック解除操作）にともない、後述のＬ字状ノズル３の放出口３ａをトリガレバー前方の外部空間域に突出させるための上方開口部，
２ｃはトリガレバー２の一対の側板部，
２ｄは一対の側板部２ｃそれぞれの上端側を連結する形の天井部，
２ｅは一対の側板部２ｃの対向内面それぞれの下側部分に形成されて、ロックモード設定操作にともない対向平板部１ｄのそれぞれの外面部分と係合し、その状態に保持される一対の内向き凸状部，
２ｆは側板部２ｃそれぞれの後端側部分の前後方向に形成されて、この前後方向へのトリガレバースライド操作の際、アーム状部１ｃの後円柱状凸部１ｅに案内される一対のスライド用孔部（円状前孔部２ｇ＋円状後孔部２ｈ＋直線状孔部２ｊ），
２ｇはスライド用孔部２ｆの前側部分であってトリガレバー２のロック解除モード（静止モード，作動モード）のときに後円柱状凸部１ｅと係合する円状前孔部，
２ｈはスライド用孔部２ｆの後側部分であって、円状前孔部２ｇと略同一径からなり、ロックモードのときに後円柱状凸部１ｅと係合する円状後孔部，
２ｊは円状前孔部２ｇおよび円状後孔部２ｈの径よりも小さい略上下方向の幅でこれら各孔部を結ぶ直線状に形成されて、トリガレバースライド操作の利用者に後円柱状凸部１ｅとの間の当接変形抵抗感を与える直線状孔部，
２ｋは側板部２ｃおよび天井部２ｄから連続形成されて、トリガレバー２の前後方向スライド操作にともない後述のＬ字状ノズル３の前円柱状凸部３ｂと協働する一対のガイド作用垂下部，
２ｍはガイド作用垂下部２ｋの下端面前側部分に形成された「上に凸」で、静止モードでの略横方向の円弧状下端面であって、静止モードおよび作動モードにおける後述の前円柱状凸部３ｂとの係合動作により、Ｌ字状ノズル３の駆動部として作用するノズル駆動面，
２ｎはノズル駆動面２ｍからその後方に連続形成された「上に凸」で、後上がりの円弧状下端面であって、ロックモードおよび静止モード間の移行の際などに、適宜、後述の前円柱状凸部３ｂからの案内保持作用を受ける被案内保持面，
をそれぞれ示している。
【００２７】
また、
３は上方向へのコイルスプリング弾性力を受けた周知のステム（図示省略）の上端側に固定されて、静止モード（図２参照）のトリガレバー２の図示反時計方向への引き回動操作により外部空間域への放出内容物が通過するＬ字状ノズル，
３ａはＬ字状ノズル３の内容物通路部の先端部分に形成された放出口，
３ｂはＬ字状ノズル３の屈曲部における左右対向部分に形成されて、それぞれ、静止モードおよび作動モード（図２，図３参照）ではノズル駆動面２ｍに係合し、ロックモードおよび静止モード間の移行の際などには被案内保持面２ｎに当接する一対の前円柱状凸部，
４は放出対象内容物を収容し、その上側外周面部分にカラー部材１のジョイント部１ａが嵌合して固定される容器本体，
をそれぞれ示している。
【００２８】
また、
Ｌはロックモードの図１における、トリガレバー２を含むトリガレバーロック機構全体のいわば外接方形の縦の長さ（Ｌ＜静止モードのＬ′），
Ｗはロックモードの図１における、トリガレバー２を含むトリガレバーロック機構全体のいわば外接方形の横の長さ（Ｗ＜静止モードのＷ′）、
Ｌ′は静止モードの図２における、トリガレバー２を含むトリガレバーロック機構全体のいわば外接方形の縦の長さ，
Ｗ′は静止モードの図２における、トリガレバー２を含むトリガレバーロック機構全体のいわば外接方形の横の長さ、
をそれぞれ示している。
【００２９】
ここでカラー部材１，トリガレバー２およびＬ字状ノズル３は、例えばポリプロピレン，ポリエチレン，ポリアセタール，ナイロン，ポリブチレンテレフタレートなどからなるプラスチック製のものである。
【００３０】
図示のトリガレバーロック機構の基本的特徴は、
静止モード（図２）のトリガレバー２を、カラー部材１に対して前方向へスライドさせてから図示反時計方向へ回動させた、図１のロックモードのとき、
(41)トリガレバー２が、図２，図３の静止モードおよび作動モードに比べて、円状後孔部２ｈ（後円柱状凸部１ｅ）を中心に反時計方向へ回動してカラー部材１の方へ近づいた形の「おじぎ」状態に設定され、
(42)Ｌ字状ノズル３の放出口３ａがトリガレバー２の上方開口部２ｂの後方内部にシフトし、
(43)トリガレバー２の内向き凸状部２ｅがドーム状部１ｂの対向平板部１ｄの外面部分に係止され、かつ、被案内保持面２ｎが例えばＬ字状ノズル３の前円柱状凸部３ｂから少し離間する、
ことなどである。
【００３１】
また、図１のトリガレバー２を、カラー部材１に対して図示時計方向へ回動させながら後方向へスライドさせた、図２の静止モード（ロック解除）のとき、
(51)トリガレバー２は、後円柱状凸部１ｅへの係合対象がそれまでの円状後孔部２ｈから円状前孔部２ｇへとシフトし、かつ、ノズル駆動面２ｍがＬ字状ノズル３の前円柱状凸部３ｂに係合し、
(52)すなわちトリガレバー２は「おじぎ」状態から、円状前孔部２ｇを中心にして時計方向に回動した「仰ぎ」状態へと復帰し、
(53)Ｌ字状ノズル３の放出口３ａがトリガレバー２の上方開口部２ｂから外部空間域に突出し、
(54)内向き凸状部２ｅがドーム状部１ｂの対向平板部１ｄから離間してそれまでの双方の係止状態が解消される、
ことなどである。
【００３２】
また、利用者が、図２のトリガレバー２を図示矢印の反時計方向へ引き回動操作した、すなわち後方へ回動引き操作した図３の作動モードのとき、
(61)トリガレバー２は、円状前孔部２ｇを中心にして反時計方向に回動した状態にあり、
(62)この回動にともない、トリガレバー２のノズル駆動面２ｍがＬ字状ノズル３の前円柱状凸部３ｂを下方へ押圧する、
ことなどである。
【００３３】
この前円柱状凸部３ｂがノズル駆動面２ｍで下方へ押圧されることにより、Ｌ字状ノズル３およびこれと一体のステムなどの周知のバルブ機構(図示省略)はそれまでの閉状態から開状態へと変化し、容器本体４の内容物が放出口３ａから外部空間域に放出される。
【００３４】
このように図示のトリガレバーロック機構は、図２の静止モードのトリガレバー２をカラー部材１のアーム状部１ｃに対して前方向へスライドさせた後で図示反時計方向へ回動させることにより、図１のロックモードに移行する。
【００３５】
ここで、トリガレバー２をカラー部材１のアーム状部１ｃに対して先ず前方向へスライドさせることにより、トリガレバー２のノズル駆動面２ｍがＬ字状ノズル３の前円柱状凸部３ｂよりも前方の外れ位置にシフトする。
【００３６】
また、図１のロックモードのトリガレバー２をカラー部材１のアーム状部１ｃに対して図示時計方向へ回動させながら後方向へスライドさせることにより、図２のロック解除状態の静止モードに移行する。
【００３７】
図１のロックモードでは、前方へスライドしたトリガレバー２が、その円状後孔部２ｈ（後円柱状凸部１ｅ）を中心に図示反時計方向に回動し、その内向き凸状部２ｅがドーム状部１ｂの対向平板部１ｄの各外面に軽く嵌合した状態で係止されている。
【００３８】
利用者や製品管理者などは、トリガレバー２の内向き凸状部２ｅがドーム状部１ｂの対向平板部１ｄの各外面に係止されたとき、クリック感を得ることができる。
【００３９】
この係止状態のとき、Ｌ字状ノズル３の前円柱状凸部３ｂは、トリガレバー２の天井部２ｄなどに形成されたガイド作用垂下部２ｋの被案内保持面２ｎから少し離間した形またはこれに当接した形に設定されている。
【００４０】
上述したように、ロックモードにおけるトリガレバー２は、静止モードに比べると、前方向へスライド移動し、かつ円状後孔部２ｈ（後円柱状凸部１ｅ）を中心にカラー部材１に近づく方向に回動している。
【００４１】
この回動動作にともない、ロックモード（図１）の、トリガレバー２を含むトリガレバーロック機構全体のいわば外接方形の縦，横それぞれの長さＬ，Ｗは、それぞれ静止モード（図２）の対応長さＬ′，Ｗ′よりも短くなっている。
【００４２】
そのため、ロックモードのトリガレバーロック機構を対象とした、製造ライン工程での保管や、出荷搬送，販売展示などの際に必要なスペースの縮小化を図ることができる。
【００４３】
また、ロックモードにおける「おじぎ」状態のトリガレバー形態と、ロック解除の静止モードにおける「仰ぎ」状態のそれとの外観・印象の違いは一見して明らかである。
【００４４】
そのため、このトリガレバーロック機構に接する作業者，利用者は、Ｌ字状ノズル３の放出口３ａがトリガレバー２の上方開口部２ｂから突出しているかどうかを注視するまでもなく、トリガレバーのロック状態／ロック解除状態を容易に、また確実に知りえる。
【００４５】
なお、Ｌ字状ノズル３は、周知のコイルスプリング（図示省略）の弾性作用で上方向へ付勢されたステム(図示省略)に取り付けられている。
【００４６】
Ｌ字状ノズル３は、図２（静止モード）のトリガレバー２の引き回動操作によりコイルスプリングの上方向弾性力に抗しながら図３の作動モード位置へ下動し、利用者の引き回動操作終了にともないこの上方向への弾性作用で静止モード位置へ上動復帰する。
【００４７】
ここでＬ字状ノズル３が図２から図３の作動モード位置へ下動するのは、トリガレバー２の引き回動操作に基づく下方向への力がそのノズル駆動面２ｍからＬ字状ノズル３の前円柱状凸部３ｂに作用するためである。
【００４８】
また、Ｌ字状ノズル３がコイルスプリング作用で作動モードから静止モードへ上動復帰するとき、トリガレバー２は、そのノズル駆動面２ｍに作用する前円柱状凸部３ｂからの上方への弾性駆動力により、その円状前孔部２ｇを中心に図示時計方向へ回動する。
【００４９】
このように、図示のトリガレバーロック機構は、ロックモードのトリガレバー２を、静止モードからの前スライド操作と、引き回動動作とがいわばマージした形の図１の「おじぎ」状態に設定する、という新たな着想に基づくロック機構である。
【００５０】
本発明が、図示の実施形態に限定されないことは勿論であって例えば、
(71)貫通タイプのスライド用孔部２ｆに代えて、非貫通タイプのスライド用溝状部を側板部２ｃの内面側に形成する、
(72)後円柱状凸部１ｅとスライド用孔部２ｆとの凹凸形状関係を逆に設定する、
(73)内向き凸状部２ｅに代えて、トリガレバー２の側板部内面と係合する凸状部をドーム状部１ｂの外面部分に形成する、
(74)対向平板部１ｄに内向き凸状部２ｅと係合する凹状部を形成し、この凸状部および凹状部の係合作用により図１のロックモードを保持する、また、このときの凹凸形状関係を逆に設定する、
(75)被案内保持面２ｎを省略する、
ようにしてもよい。
【００５１】
なお、ポンプ式製品のトリガレバーロック機構の場合には、カラー部材１に代えて、容器本体と螺合するネジキャップが用いられる。
【００５２】
本発明が適用されるエアゾール式製品，ポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５３】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００５４】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５５】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５６】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５７】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５８】
高分子化合物としては、メチルセルロース，ゼラチン，デンプン，カゼイン，ヒドロキシエチルセルロース，キサンタンガム，カルボキシビニルポリマーなどを用いる。
【００５９】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、パラフェノールスルホン酸亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，過酸化水素水などの酸化剤、リン酸二水素アンモニウム，炭酸水素ナトリウム・カリウムなどの消火剤などを用いる。
【００６０】
さらに、上記内容物以外の、懸濁剤，紫外線吸収剤，乳化剤，保湿剤，酸化防止剤、金属イオン封鎖剤なども用いることができる。
【００６１】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６２】
１：カラー部材（１ａ＋１ｂ＋１ｃ）
１ａ：ジョイント部
１ｂ：ドーム状部
１ｃ：アーム状部
１ｄ：対向平板部
１ｅ：後円柱状凸部
【００６３】
２：トリガレバー
２ａ：引き回動操作部
２ｂ：上方開口部
２ｃ：側板部
２ｄ：天井部
２ｅ：内向き凸状部
２ｆ：スライド用孔部（２ｇ＋２ｈ＋２ｊ）
２ｇ：円状前孔部
２ｈ：円状後孔部
２ｊ：直線状孔部
２ｋ：ガイド作用垂下部
２ｍ：ノズル駆動面
２ｎ：被案内保持面
【００６４】
３：Ｌ字状ノズル
３ａ：放出口
３ｂ：前円柱状凸部
４：容器本体
【００６５】
Ｌ：図１におけるトリガレバーロック機構全体の外接方形の縦の長さ（Ｌ＜Ｌ′）
Ｗ：図１のトリガレバーロック機構全体の外接方形の縦の長さ（Ｗ＜Ｗ′）
Ｌ′：図２のトリガレバーロック機構全体の外接方形の縦の長さ
Ｗ′：図２のトリガレバーロック機構全体の外接方形の縦の長さ
【図１】
0006537106.tif 000002
【図２】
0006537106.tif 000003
【図３】
0006537106.tif 000004